(57)【要約】【課題】少ない部品点数によって複数の情報を表示することができる、車両用計器装置を提供すること。【解決手段】車両用計器装置（１０）は、第１の車両情報を表示する第１情報表示部（１１）と、この第１情報表示部（１１）に隣接して配置され第２の車両情報を表示する第２情報表示部（１２）と、を有する。第１情報表示部（１１）は、光が透過可能な透光部（５１）が形成された基材（４０）を有している。基材（４０）は、第２情報表示部（１２）に向かって延びる延長部（４３）を有している。延長部（４３）は、光を拡散可能な拡散部（５２）を有し、拡散部（５２）に、第２の車両情報が液晶表示される液晶表示部（２８）が重ねられている。【選択図】図３
2017044523.tif 000002
【特許請求の範囲】
【請求項１】
第１の車両情報を表示する第１情報表示部と、この第１情報表示部に隣接して配置され第２の車両情報を表示する第２情報表示部と、を有する車両用計器装置において、
前記第１情報表示部は、光が透過可能な透光部が形成された基材を有し、
前記基材は、前記第２情報表示部に向かって延びる延長部を有し、
前記延長部は、光を拡散可能な拡散部を有し、
前記拡散部に、前記第２の車両情報が液晶表示される液晶表示部が重ねられていることを特徴とする車両用計器装置。
【発明の詳細な説明】
【技術分野】
【０００１】
本発明は、改良された車両用計器装置に関する。
【背景技術】
【０００２】
一般に、車両の乗員の前方には、車速等を表示するための車両用計器装置が配置されている。車両用計器装置に関する従来技術として、特許文献１に開示される技術がある。
【０００３】
図５及び図６に基づき、特許文献１に開示された発明を説明する。図５は、特許文献１の図１に対応し、図６は、特許文献１の図２に対応する。なお、符号は、適宜振り直した。
【０００４】
図５を参照する。図５には、従来の車両用計器装置を正面から見た図が示されている。車両用計器装置２１０は、乗員から見て、略円形状を呈する。
【０００５】
図６を参照する。図６は、図５の６−６線断面図である。車両用計器装置２１０は、制御基板２２１に実装された発光素子２２２及びモータ２２３と、モータ２２３に取り付けられ回転可能な指針２２４と、この指針２２４によって指示される円形状の文字盤２３０と、を有する。
【０００６】
図５を併せて参照する。文字盤２３０は、例えば、透明の基材２４０の裏面に黒色及び白色の塗装を施した構成を採用することができる。このとき、数字や目盛りの部位は、白色に塗装され、数字や目盛りの部位以外の部位は、黒色に塗装されている。これにより、発光素子２２２を点灯させた際に、数字や目盛りの部位のみを光らせることができる。数字や目盛りが光ることにより、乗員は、情報を認識することができる。
【０００７】
ところで、車両の運転中には、車速の他に冷却水の温度や、ガソリン残量等の車両情報を必要とする場合も考えられる。このような場合に、これらの情報を液晶表示する情報表示部２２８を、車速メータに隣接して配置することが考えられる。このような場合に、部品点数の増加を抑制しながら、他の車両情報を表示することができれば好ましい。
【先行技術文献】
【特許文献】
【０００８】
【特許文献１】特開２０１０−１９７３０４号公報
【発明の概要】
【発明が解決しようとする課題】
【０００９】
本発明は、少ない部品点数によって複数の情報を表示することができる、車両用計器装置の提供を課題とする。
【課題を解決するための手段】
【００１０】
図１（ａ）を参照する。図１（ａ）には、本発明の実施例による車両用計器装置１０が示されている。本発明者らは、上記課題を解決すべく、第１の車両情報（例えば、車速）を表示する第１情報表示部１１と、第２の車両情報（例えば、冷却水の温度）を表示する第２情報表示部１２と、を有する車両用計器装置１０において、第１情報表示部１１に用いられている基材４０を第２情報表示部１２まで延ばした。そして、この基材４０に光を拡散するための拡散部５２を設けると共に、第２の車両情報が表示される液晶表示部２８を重ねることとした。
【００１１】
図１（ｂ）を参照する。図１（ｂ）には、本発明の比較例による車両用計器装置１１０が示されている。情報が液晶表示される第２情報表示部１１２を追加した場合には、特に第２情報表示部１１２に備えられる液晶表示部１２８を略均一にバックライト照明するための専用の拡散部１５２が別途、必要になる。
【００１２】
即ち、請求項１による発明によれば、第１の車両情報を表示する第１情報表示部と、この第１情報表示部に隣接して配置され第２の車両情報を表示する第２情報表示部と、を有する車両用計器装置において、
前記第１情報表示部は、光が透過可能な透光部が形成された基材を有し、
前記基材は、前記第２情報表示部に向かって延びる延長部を有し、
前記延長部は、光を拡散可能な拡散部を有し、
前記拡散部に、前記第２の車両情報が液晶表示される液晶表示部が重ねられていることを特徴とする車両用計器装置が提供される。
【発明の効果】
【００１３】
請求項１に係る発明では、第１情報表示部に用いられている基材を第２情報表示部まで延ばした。そして、この基材に光を拡散するための拡散部を設けると共に、第２の車両情報が表示される液晶表示部を重ねることとした。第１情報表示部の他に、情報が液晶表示される第２情報表示部を追加した場合には、特に第２情報表示部１１２に備えられる液晶表示部１２８を略均一にバックライト照明するための専用の拡散部１５２が別途、必要になる。これにより、部品点数が増加することを抑制することができる。少ない部品点数によって複数の情報を表示することができる、車両用計器装置を提供することができる。
【図面の簡単な説明】
【００１４】
【図１】本発明の要点について説明する図である。
【図２】本発明の実施例による車両用計器装置の正面図である。
【図３】図２の３−３線断面図である。
【図４】図２に示された車両用計器装置の分解図である。
【図５】従来の技術の基本構成について説明する図である。
【図６】図５の６−６線断面図である。
【発明を実施するための形態】
【００１５】
本発明の実施の形態を添付図に基づいて以下に説明する。なお、説明中、左右とは車両の乗員を基準として左右、前後とは車両の進行方向を基準として前後を指す。また、図中Ｆｒは前、Ｒｒは後、Ｌｅは乗員から見て左、Ｒｉは乗員から見て右、Ｕｐは上、Ｄｎは下を示している。
＜実施例＞
【００１６】
図２を参照する。車両用計器装置１０は、乗員の前方に配置され、乗員に車速等の情報を表示する装置である。中央には、第１の車両情報としての車速が表示される第１情報表示部１１が配置されている。この第１情報表示部１１の左右に、第２の車両情報が表示される第２情報表示部１２，１２が配置されている。第１情報表示部１１の左側に隣接して配置される第２情報表示部１２は、第２の車両情報としての冷却水温を表示する。第１情報表示部１１の右側に隣接して配置される第２情報表示部１２は、第２の車両情報としての燃料残量を表示する。第１情報表示部１１の中央には、第３の車両情報としての燃費が表示される第３情報表示部１３が配置されている。
【００１７】
図３を参照する。車両用計器装置１０は、制御基板２１と、この制御基板２１に実装された複数の発光素子（ＬＥＤ）２２と、これらの発光素子２２と共に制御基板２１に実装されたモータ２３と、このモータ２３に取り付けられた指針２４と、第３情報表示部１３の周縁に被せられ外部からの視界を遮る遮蔽板２５と、指針２４によって指示される基材４０と、この基材４０から制御基板２１まで延び発光素子２２の光の漏れを防止する遮光壁部２７と、基材４０に重ねられ冷却水温を液晶表示する液晶表示部２８と、この液晶表示部２８の周縁に複数配置されたスペーサ３１と、これらのスペーサ３１に重ねられた板状のカバー部材３２と、を有する。
【００１８】
指針２４は、モータ２３の軸の先端から周方向に延びる第１延伸部２４ａと、この第１延伸部２４ａの先端から基材４０に向かって延びる第２延伸部２４ｂと、この第２延伸部２４ｂの先端からモータ２３の軸線ＣＬに向かって且つ第１延伸部２４ａに平行に延びる第３延伸部２４ｃと、この第３延伸部２４ｃの先端から基材４０の表面に沿って延びる先端指針部２４ｄと、からなる。
【００１９】
第３延伸部２４ｃが遮蔽板２５と基材４０との間を通されていることにより、乗員は、指針２４のうち先端指針部２４ｄのみを視認することができる（図２も参照）。先端指針部２４ｄは、第３情報表示部１３の周縁を回転する。
【００２０】
第３情報表示部１３には、ＴＦＴ（Thin Film Transistor）液晶パネル等、任意の液晶表示装置を採用することができる。
【００２１】
図４を併せて参照する。基材４０は、概ね円錐台の側面に沿った形状を呈するテーパ面部４１（図２も参照）と、このテーパ面部４１の後端から前方に向かって拡径しながら延びる絞り部４２と、この絞り部４２の左右の端部からそれぞれ左右に延びる左右の延長部４３，４３と、からなる。
【００２２】
基材４０には、ガラスや透明樹脂等の透光性を有する素材が採用されている。基材４０の裏面には、黒色及び白色の塗装が施されている。
【００２３】
より詳細には、テーパ面部４１の裏面は、目盛りや数字に対応する部位が白色に塗装されている。この白色に塗装された部位は、光が透過可能な透光部５１である。さらに、延長部４３，４３の裏面の一部も、白色に塗装されている。これらの白色に塗装された部位は、光を拡散させるための拡散部５２，５２である。一方、透光部５１や拡散部５２，５２以外の部位は、黒色に塗装されている。黒色に塗装された部位は、光を遮る遮光部５３である。
【００２４】
なお、透光部５１、及び、拡散部５２，５２は、白色の他、乳白色等、光を透過可能な色であればよい。特に、透光部５１は、塗装が施されていなくても良い。
【００２５】
カバー部材３２，３２には、それぞれ液晶表示部２８，２８を視認可能な窓部３２ａ，３２ａが設けられている。
【００２６】
車速（第１の車両情報）を表示する第１情報表示部１１は、制御基板２１と、発光素子２２と、モータ２３と、指針２４と、基材４０（遮光部５３及び透光部５１を含む。）と、からなる。
【００２７】
冷却水温（第２の車両情報）を表示する左の第２情報表示部１２は、制御基板２１と、発光素子２２と、遮光壁部２７と、基材４０（遮光部５３及び拡散部５２を含む。）と、液晶表示部２８と、制御部２９と、スペーサ３１と、カバー部材３２と、からなる。右の第２情報表示部１２についても同様である。なお、制御部２９は、液晶表示部２８の表示情報を制御するためのものである。
【００２８】
第１情報表示部１１と、第２情報表示部１２とでは、制御基板２１及び基材４０を共用している。
【００２９】
車両用計器装置１０の作用について説明する。車両のイグニッションスイッチをオンにすると、発光素子２２が点灯する。乗員は、発光素子２２によって照射された指針２４、及び、透光部５１（目盛りや数字）を視認できる。これと同時に、点灯した発光素子２２によって拡散部５２，５２が照射され、光が拡散される。拡散部５２，５２を介して液晶表示部２８，２８が照射される。これにより、乗員は、液晶表示部２８，２８に表示された情報を視認できる。
【００３０】
車両が走行すると、制御基板２１は、車速に応じてモータ２３を回転させる。モータ２３が回転することにより、指針２４が回転する。指針２４の指示した位置によって、乗員は、車速を認識することができる。
【００３１】
また、車両が走行することにより、冷却水温や燃料残量が変化する。この変化に応じて、制御部２９は、液晶表示部２８，２８の表示情報を変化させる。これにより、乗員は、適宜、冷却水温や燃料残量を把握することができる。
【００３２】
このような車両用計器装置１０によれば、以下の効果を奏する。
【００３３】
第１情報表示部１１に用いられている基材４０を第２情報表示部１２まで延ばした。そして、この基材４０に光を拡散するための拡散部５２を設けると共に、第２の車両情報が表示される液晶表示部２８を重ねることとした。第１情報表示部１１の他に、情報が液晶表示される第２情報表示部１２を追加した場合には、特に第２情報表示部１１２に備えられる液晶表示部１２８を略均一にバックライト照明するための専用の拡散部１５２が別途、必要になる（図１（ｂ）参照）。この点、基材４０の一部を第２情報表示部１２まで延長させ、これに拡散部５２や液晶表示部２８を設けることにより、上記の専用の拡散部が不要となる。これにより、部品点数が増加することを抑制することができる。少ない部品点数によって複数の情報を表示することができる、車両用計器装置１０を提供することができる。
【００３４】
特に、透光部５１及び拡散部５２は、基材４０の同一面状に設けられた同一色の塗膜によって構成されることが好ましい。透光部５１及び拡散部５２を、一度の塗装によって同時に基材４０の表面上に形成することができる。車両用計器装置１０の製造工程を簡素にすることができる。
【００３５】
液晶表示部２８を照射するための光源Ｌｉをさらに有している。光源Ｌｉは、発光素子２２が制御基板２１に実装されてなる。拡散部５２は、基材４０のなかの発光素子２２に対向する面に形成されている。拡散部５２の周縁は、光を遮る遮光部５３によって構成されている。遮光部５３から制御基板２１に向かって、光を遮る遮光壁部２７が延びている。
【００３６】
第３の車両情報を表示する第３情報表示部１３をさらに有している。第１情報表示部１１、乃至、第３情報表示部１３は、車両の前後方向を基準として、それぞれ異なる位置に設けられている。３つの情報表示部１１，１２，１３がそれぞれ車両前後方向の異なる位置に設けられることにより、車両用計器装置１０の立体感が増し、意匠性を高めることができる。
【００３７】
尚、本発明による車両用計器装置は、四輪車の他、二輪車や三輪車等、任意の車両に搭載することができる。
【００３８】
さらに、車両用計器装置は、第１情報表示部に隣接して２つの第２情報表示部が配置されるものの他、第２情報表示部が１つ配置されるものや３つ以上配置されるものであってもよい。
【００３９】
さらに、第１情報表示部は、速度計の他、タコメータ等任意の車両情報を表示するための装置を採用することができる。
【００４０】
さらに、第２情報表示部には、冷却水温や燃料残量の他、バッテリ残量等任意の車両情報を表示することができる。
【００４１】
さらに、透光部や拡散部は、基材の表面に形成されていてもよい。
【００４２】
さらに、第３情報表示部に指針を表示させ、速度に応じて表示された指針を回転させることもできる。また、第３情報表示部の配置は、任意である。第３情報表示部を配置せず、指針の回転軸が視認可能な従来からの車両用計器装置にも、本発明は適用可能である。
【００４３】
本発明の作用及び効果を奏する限りにおいて、本発明は、実施例に限定されるものではない。
【産業上の利用可能性】
【００４４】
本発明の車両用計器装置は、乗用自動車に好適である。
【符号の説明】
【００４５】
１０…車両用計器装置
１１…第１情報表示部
１２…第２情報表示部
２８…液晶表示部
４０…基材
４３…延長部
５１…透光部
５２…拡散部
【図１】
2017044523.tif 000003
【図２】
2017044523.tif 000004
【図３】
2017044523.tif 000005
【図４】
2017044523.tif 000006
【図５】
2017044523.tif 000007
【図６】
2017044523.tif 000008